(57)【要約】  ＣＯ２隔離のための例示的な方法は、（ｉ）レディーミックスコンクリート生産システムによって生産されるレディーミックスコンクリート、及び／又は（ｉｉ）レディーミックスコンクリート生産及び送達システムの動作中に使用される水を処理することによって形成される炭酸カルシウムにおいて、レディーミックスコンクリート生産システムの動作中に排出されるＣＯ２気体の少なくとも一部を隔離するステップを含むことができる。【選択図】図１
2021520337.tif 000002
【特許請求の範囲】
【請求項１】
レディーミックスコンクリートを生産する方法であって、
水体上に施設を位置決めすることであって、該施設は、レディーミックスコンクリートを生産及び送達するように構成され、二酸化炭素（ＣＯ２）を含む排出物が前記施設の動作中に生成される、位置決めすることと、
前記施設において前記レディーミックスコンクリートを生産することと、
前記レディーミックスコンクリートの生産中にフィード水を用いることによってプロセス水を生成することであって、該プロセス水は、少なくともカルシウムイオン及びシリカイオンを含む、生成することと、
前記生成された排出物から前記ＣＯ２を分離することと、
前記ＣＯ２を圧縮することによって前記分離されたＣＯ２を液化することと、
前記プロセス水に前記分離されたＣＯ２の少なくとも第１の部分を追加することと、
前記施設において生産された前記レディーミックスコンクリートに、前記分離されたＣＯ２の少なくとも第２の部分を追加することと、
を含む、方法。
【請求項２】
前記方法は、前記水体に沿って前記施設を移動させることを更に含み、
前記排出物は、前記施設を移動させる間に少なくとも第１の排出源によって生成される第１の排出物と、前記レディーミックスコンクリートを生産する間に少なくとも第２の排出源によって生成される第２の排出物とを含み、
前記生成された排出物から前記ＣＯ２を分離するステップは、前記施設が移動している間に前記第１の排出物から前記ＣＯ２を分離することを含み、
前記ＣＯ２を圧縮することによって前記分離されたＣＯ２を液化するステップは、前記施設が移動している間に前記第１の排出物から前記ＣＯ２を液化することを含み、
前記レディーミックスコンクリートは、レディーミックスコンクリート生産システムによって生産され、
前記生成された排出物から前記ＣＯ２を分離するステップと、前記分離されたＣＯ２を液化するステップと、前記プロセス水に前記分離されたＣＯ２の前記少なくとも第１の部分を追加するステップと、前記レディーミックスコンクリートに前記分離されたＣＯ２の前記少なくとも第２の部分を追加するステップとは、炭素捕捉システムによって行われ、
前記方法は、
前記炭素捕捉システムを、第１の流体導管を用いて前記少なくとも１つの第１の排出源及び前記少なくとも第２の排出源に接続することと、
前記炭素捕捉システムを、第２の流体導管を用いて前記レディーミックスコンクリートシステムに接続することと、
を更に含む、請求項１に記載の方法。
【請求項３】
前記プロセス水は、少なくともセメント粒も含む、請求項１に記載の方法。
【請求項４】
前記液化されたＣＯ２は、前記プロセス水及び前記生産されたレディーミックスコンクリートに追加される前に１つ以上のコンテナーに貯留される、請求項１に記載の方法。
【請求項５】
少なくとも１つの排出源は、前記排出物を生成し、前記少なくとも１つの排出源は、（ｉ）前記施設を移動させるように構成された推進システム、及び（ｉｉ）前記レディーミックスコンクリートを生産するように構成されたレディーミックスコンクリート生産システムのうちの一方である、請求項１に記載の方法。
【請求項６】
前記レディーミックスコンクリートを、地上にある打設現場に送達することを更に含む、請求項１に記載の方法。
【請求項７】
前記レディーミックスコンクリートを、水中にある打設現場に送達することを更に含む、請求項１に記載の方法。
【請求項８】
レディーミックスコンクリートの生産及び送達のためのシステムであって、
水体上に位置決されるように構成された施設であって、二酸化炭素（ＣＯ２）を含む排出物が該施設の動作中に生成される、施設と、
前記施設上に配置されるとともに前記レディーミックスコンクリートを生産するように構成されたレディーミックスコンクリート生産システムであって、該レディーミックスコンクリート生産システムは、前記レディーミックスコンクリートの生産中にフィード水を用いることによってプロセス水を生成し、該プロセス水は、少なくともカルシウムイオン及びシリカイオンを含む、レディーミックスコンクリート生産システムと、
前記生産されたレディーミックスコンクリートを選択された打設現場に送達するように構成されたレディーミックスコンクリート送達システムと、
前記船上に配置された炭素捕捉システムであって、
前記排出物を受け取る少なくとも１つの排出口と、
前記受け取られた排出物から前記ＣＯ２を分離し、前記分離されたＣＯ２を液化するように構成された炭素捕捉／液化ユニットと、
前記分離されたＣＯ２を貯留するように構成された少なくとも１つのコンテナーであって、該炭素捕捉システムは、前記プロセス水に前記貯留されたＣＯ２の少なくとも一部を追加し、前記施設において生産された前記レディーミックスコンクリートに、前記貯留されたＣＯ２の少なくとも一部を追加するように構成される、少なくとも１つのコンテナーと、
を備える、炭素捕捉システムと、
を備える、システム。
【請求項９】
前記施設は、少なくとも１つの排出源を備え、
前記システムは、
前記少なくとも１つの第１の排出源を、前記炭素捕捉システムに接続する第１の流体導管と、
前記炭素捕捉システムを、前記レディーミックスコンクリート生産システムに接続する第２の流体導管と、
を更に備える、請求項８に記載のシステム。
【請求項１０】
前記打設現場は、地上にある、請求項８に記載のシステム。
【請求項１１】
前記打設現場は、水中にある、請求項８に記載のシステム。
【請求項１２】
前記レディーミックスコンクリート送達システムは、前記施設から延在する導管を備える、請求項８に記載のシステム。
【請求項１３】
前記導管は、リール上に巻き付けられた柔軟ホースである、請求項１２に記載のシステム。
【請求項１４】
レディーミックスコンクリート生産及び送達システムを動作させる方法であって、
（ｉ）前記レディーミックスコンクリート生産及び送達システムによって生産されるレディーミックスコンクリート、及び（ｉｉ）前記レディーミックスコンクリート生産及び送達システムの動作中に使用される水を処理することによって形成される炭酸カルシウムのうちの少なくとも一方において、前記レディーミックスコンクリート生産及び送達システムの動作中に排出されるＣＯ２気体の少なくとも一部を隔離することを含む、方法。
【発明の詳細な説明】
【技術分野】
【０００１】
本開示は、包括的には、発電中に放出される二酸化炭素を捕捉する方法及びシステムに関する。いくつかの態様では、本開示は、レディーミックスコンクリート生産及び送達のための発電中の二酸化炭素捕捉に関する。
【背景技術】
【０００２】
コンクリートは、橋、トンネル、支持壁、侵食障壁、堀、保持構造物、商用構造物及び居住用構造物、道路、水中の基礎等の多数の建築事業のために世界中で用いられる建築材料である。コンクリートは、骨材（aggregates）、セメント、及び水等の天然に存在する成分から主に作製される材料である。従来、コンクリートは、車両に搭載されたトラックミキサーを用いてバッチ処理プラントから打設現場に輸送される。他の多くの産業プロセスのように、レディーミックスコンクリートの製造及び輸送中に二酸化炭素（ＣＯ２）排出物が常に発生する。
【０００３】
本開示は、レディーミックスコンクリートの製造及び送達に関連付けられた並びに他の作業中のＣＯ２排出物を捕捉する必要性に対処する。
【発明の概要】
【０００４】
いくつかの態様において、本開示は、レディーミックスコンクリートを生産する方法を提供する。方法は、水体上に施設を位置決めするステップであって、施設は、レディーミックスコンクリートを生産及び送達するように構成され、二酸化炭素（ＣＯ２）を含む排出物が施設の動作中に生成される、位置決めするステップと、施設においてレディーミックスコンクリートを生産するステップと、レディーミックスコンクリートの生産中にフィード水を用いることによってプロセス水を生成するステップであって、プロセス水は、少なくともカルシウムイオン及びシリカイオンを含む、生成するステップと、生成された排出物からＣＯ２を分離するステップと、ＣＯ２を圧縮することによって分離されたＣＯ２を液化するステップと、プロセス水に分離されたＣＯ２の少なくとも一部を追加するステップと、施設において生産されたレディーミックスコンクリートに、分離されたＣＯ２の少なくとも一部を追加するステップとを含むことができる。
【０００５】
更なる態様において、本開示は、レディーミックスコンクリートの生産及び送達のためのシステムを提供する。システムは、水体上に位置決されるように構成された施設であって、二酸化炭素（ＣＯ２）を含む排出物が施設の動作中に生成される、施設と、施設上に配置されるとともにレディーミックスコンクリートを生産するように構成されたレディーミックスコンクリート生産システムであって、レディーミックスコンクリート生産システムは、レディーミックスコンクリートの生産中にフィード水を用いることによってプロセス水を生成し、プロセス水は、少なくともカルシウムイオン及びシリカイオンを含む、レディーミックスコンクリート生産システムと、生産されたレディーミックスコンクリートを選択された打設地点に送達するように構成されたレディーミックスコンクリート送達システムと、船上に配置された炭素捕捉システムとを備えることができる。炭素捕捉システムは、排出物を受け取る少なくとも１つの排出口と、受け取られた排出物からＣＯ２を分離し、分離されたＣＯ２を液化するように構成された炭素捕捉／液化ユニットと、分離されたＣＯ２を貯留するように構成された少なくとも１つのコンテナーとを備えることができる。炭素捕捉システムは、プロセス水に貯留されたＣＯ２の少なくとも一部を追加し、施設において生産されたレディーミックスコンクリートに、貯留されたＣＯ２の少なくとも一部を追加するように構成することができる。
【０００６】
また更なる態様において、本開示は、レディーミックスコンクリート生産方法及び関連システムを提供する。例示的な方法は、（ｉ）レディーミックスコンクリート生産システムによって生産されるレディーミックスコンクリート、及び（ｉｉ）レディーミックスコンクリート生産システムの動作中に使用される水を処理することによって形成される炭酸カルシウムのうちの少なくとも一方において、レディーミックスコンクリート生産システムの動作中に排出されるＣＯ２気体の少なくとも一部を隔離するステップを含むことができる。
【０００７】
また更なる態様において、本開示は、船上で発生する、発電中に排出されたＣＯ２を捕捉及び隔離する方法及び関連システムを提供する。例示的な方法は、船上の発電システムの動作中に排出されたＣＯ２気体の少なくとも一部を捕捉するステップを含むことができる。捕捉されたＣＯ２は、圧縮し、任意選択で、液化及び貯留することができる。
【図面の簡単な説明】
【０００８】
【図１】本開示において説明される、ＣＯ２炭素捕捉方法を用いることができる施設の１つの非限定的な実施形態を示す図である。
【図２】本開示による炭素捕捉方法の１つの非限定的な実施形態を示す図である。
【図３】フィードとしてＣＯ２を用いるプロセスの１つの非限定的な実施形態を示す図である。
【図４】本開示によるレディーミックスコンクリート送達システム方法の１つの非限定的な実施形態を示す図である。
【図５】本開示によるレディーミックスコンクリート送達システム方法の別の非限定的な実施形態を示す図である。
【図６】レディーミックスコンクリートを海底（seabed）に送達するのに用いるために適応された、本開示による施設の１つの非限定的な実施形態を示す図である。
【発明を実施するための形態】
【０００９】
一般に、本開示の態様は、発電の前又はその間に施設において排出される二酸化炭素（ＣＯ２）の一部又は全てを捕捉する。簡単にするために、本開示は、レディーミックスコンクリート生産及び送達システムの動作中の発電の非限定的な例に関する。例示的な動作は、推進機械、発電機、タービン、ポンプ、プロセッサ、ミキサー、モーター等を動作させることを含むが、これらに限定されない。「隔離する」又は「捕捉する」という語によって、ＣＯ２は、ＣＯ２が長期間、例えば１００年間又はそれ以上の間、大気に解放されることを防止する液体媒介又は固体媒介に結合されることが意味される。例示的な炭素捕捉システム及びレディーミックスコンクリートを生産する関連施設が、以下で論述される。
【００１０】
図１を参照すると、本開示によるレディーミックスコンクリート生産施設１０が概略的に示されている。いくつかの実施形態では、施設１０は、図示されるように、船舶（water craft）、又は水上輸送施設（waterborne facility）とすることができる。図示されていない他の実施形態では、施設１０は、陸上システム（land-based system）とすることができる。施設１０は、船殻１４と、１つ以上の甲板１６と、発電システム１８とを有する船１２を含むことができる。施設１０は、一体型レディーミックスコンクリート生産システム２０も備え、一体型レディーミックスコンクリート生産システム２０については、以下で更に詳細に説明される。
【００１１】
１つの実施形態では、レディーミックスコンクリート生産システム２０は、セメント混合物を保持する１つ以上のコンテナー２２と、骨材を保持する１つ以上のコンテナー２４と、添加剤（additives）を保持する１つ以上のコンテナー２６と、水を保持する１つ以上のコンテナー２８と、廃水／プロセス水を保持する１つ以上のコンテナー３０と、セメントを保持する１つ以上のコンテナー３２とを備えることができる。これらの構成材料は、ポンプ３４、供給装置／コンベヤ３６、及びミキサー３８等の機器によって搬送及び処理される。レディーミックスコンクリート送達システム４０は、生レディーミックスコンクリート（freshly made ready-mix）を所望の打設地点に搬送し、この打設地点は、水中（例えば、海底）、沿岸付近のロケーション、又は陸上ロケーションとすることができる。送達システム４０は、導管４２を備えることができ、導管４２は、剛性パイプ、又は図示するように柔軟ホースとすることができる。施設１０の動作中に排出されたＣＯ２を捕捉するために、炭素捕捉システム５０は、施設１０に一体化することができる。１つの配置構成では、炭素捕捉システム５０は、１つ以上の排出口（offtakes）５２と、ＣＯ２捕捉／液化ユニット５４と、ＣＯ２貯留／注入ユニット５６とを含むことができる。
【００１２】
図２は、施設１０（図１）によって生成されたＣＯ２を隔離する方法１００の１つの非限定的な実施形態を示すフローチャートである。図１及び図２を参照すると、１つの例示的な動作モードでは、施設１０は、ステップ１０２において、ＣＯ２気体を排出する内部発電を利用する。１つの態様では、電力は、炭化水素系燃料を燃焼させることによって生成することができる。電力は、推進システム、ポンプ、及び図１に関連して説明される他の搭載機械を動作させるのに用いることができる。
【００１３】
ステップ１０４において、ＣＯ２排出物は、発電システム１８からの排出口５２等の適した流路を用いて炭素捕捉システム５０に搬送される。排出口５２は、ダクト、チューブ、パイプ、ホース又は気体を搬送する他の導管とすることができる。他の機械からの排出物を搬送するのにも同様の排出口（図示せず）を用いることができる。施設１０は、ＣＯ２を含む排出物が排出源において収集され、１つ以上の流体導管を介してＣＯ２捕捉／液化ユニット５４に向けられる「閉」システムを用いることが理解されるべきである。１つの動作モードでは、排出源からの排出物の流動は、排出源が稼働しており排出物を生成する限り連続的なものとすることができる。「閉」という語によって、排出源（複数の場合もある）とＣＯ２捕捉／液化ユニット５４との間の構造的（例えば、流体導管）及び機能的（例えば、流体連通）相互接続があることが意味される。
【００１４】
ステップ１０６において、炭素捕捉システム５０は、ＣＯ２捕捉／液化ユニット５４を用いて、これらの排出物を処理し、排出物のＣＯ２成分を分離及び液化する。ＣＯ２捕捉／液化ユニット５４は、排出物からＣＯ２を分離する。分離されたＣＯ２は、適したポンプを用いて圧縮し、液体状態にすることができる。液化されたＣＯ２は、必要になるまで適したタンク内に貯留することができる。加えて、又は代替的に、液化されたＣＯ２は、貯留せず即座に用いることができる。また、ＣＯ２は、液化の中間ステップを伴うことなく、気体状態で貯留及び／又は使用することができる。
【００１５】
炭素捕捉システム５０は、２つの方法のうちの少なくとも一方で、液化されたＣＯ２を隔離する。例えば、ステップ１０８において、液化されたＣＯ２気体のうちの一部又は全てを、レディーミックスセメントで覆われた表面を洗浄するのに用いられる水（「洗浄排水（washout water）」）を処理するために、プロセスフィードとして用いることができる。ステップ１１０において、液化されたＣＯ２気体のうちの一部又は全てが、洗浄され（scrubbed）、処理され、清浄化され（cleaned）、向け直され（redirected）、燃焼気体が、ＣＯ２を捕捉及び離隔するために分離され、ＣＯ２は、その後、気体形態又は液体形態で収容されるか、又は、混合プロセス中のレディーミックスコンクリートへの測定される注入のために経路付けられる。
【００１６】
図３は、洗浄排水を処理するためのプロセスフィードとしてＣＯ２を用いる方法１２０の１つの非限定的な実施形態を示すフローチャートである。コンクリート配管及び機器が水、又はフィード水を用いて洗い流されると、フィード水は、砂粒等の粒子物質を拾い上げるが、溶解したセメント粒も含有することになり、これにより、水中のカルシウムイオン及びシリカイオンの濃度が高くなる。カルシウムイオンは、水酸イオンによって平衡化し、これにより、高ｐＨを有する水（すなわち、これは、非常に「塩基性」になる）が得られ、この水は、コンクリート混合水として再使用するのには不適になる。この洗浄排水は、ステップ１２２において、炭素捕捉システム５０によって受け取られる。
【００１７】
ステップ１２４において、炭素捕捉システム５０は、分離されたＣＯ２を受け取る。分離されたＣＯ２は、貯留されている場合がある。ステップ１２６において、炭素捕捉システム５０は、コンクリート洗浄排水に二酸化炭素を注入する。ＣＯ２は、洗浄排水内のカルシウムイオンと反応して、炭酸カルシウム（すなわち、カルサイト又は石灰石）が沈殿する。これは、以下の２つの目的に役立つ。１）水からのカルシウムイオンの除去により、ｐＨが低下して中性に近づき、２）小さい炭酸カルシウム粒子は、セメント水和反応（すなわち、セメントと水との反応）を刺激するための基となる部分（seeding sites）として役立ち得る。したがって、コンクリート洗浄排水は、大きい粒子を濾過により除去した後、ＣＯ２と混合することによって、コンクリート混合水として再使用するのに適したものとなり得る。さらに、カルシウムイオンと反応してカルサイトを形成するＣＯ２は、本質的には永久的に結合され、大気に放出することはない。なぜならば、カルサイトは、特にコンクリート内で結合された場合、非常に安定した鉱物であるためである。
【００１８】
生成されたＣＯ２は、洗浄排水を処理することに加えて、他のプロセスのフィードとして用いることもできることが理解されるべきである。洗浄水は、コンクリート混合プロセスにおける水のために用いられる場合も、用いられない場合もあることも理解されるべきである。すなわち、炭酸カルシウム粒子又は石灰石粒子は、ＣＯ２を永久的に隔離するために役立つ、コンクリート混合ではない他の目的のために用いられる場合がある。
【００１９】
図１を参照すると、炭素捕捉システム５０は、船上機器によって排出されたＣＯ２のうちの一部又は全てを捕捉し、ＣＯ２を用いてコンクリート洗浄水を処理すること、及び、レディーミックスコンクリートにＣＯ２を注入することのうちのいずれか又は双方によって、ＣＯ２を隔離することができることが理解されるべきである。炭素捕捉システム５０は、レディーミックスコンクリートが生成されていない場合であっても、発電システム１８の排出物から分離されたＣＯ２を捕捉及び貯留することができることが理解されるべきである。例えば、発電システム１８は、電力を推進システムに供給することができ、推進システムは、２つのロケーション間で施設１０を移動させるか、又は、レディーミックスコンクリート生成が中断されている間、水上の或る位置を維持するように動作する。このような作業中に生成された排出物からのＣＯ２は、後続するレディーミックスコンクリート生成中に用いるために炭素捕捉システム５０によって依然として捕捉することができる。
【００２０】
図４〜図６を参照すると、本開示の炭素捕捉技法及びシステムを用いることができる施設１０の種々の実施形態が示されている。
【００２１】
図４では、施設１０は、リール４４上に巻回された柔軟導管４２を備えるレディーミックスコンクリート送達システム４０を用いて、陸上の打設地点にレディーミックスコンクリートを搬送するのに用いられる。リール４４は、施設１０に位置決めされる。水４９の表面４８に沿って柔軟導管４２の少なくとも一部を浮かべるのに１つ以上の浮遊デバイス４６を用いることができる。導管４２は、表面４８の完全に上の水４９内に部分的に又は完全に沈めることができる。
【００２２】
図５でも同様に、施設１０は、地上６２の打設地点６０にレディーミックスコンクリートを搬送するのに用いられる。この実施形態では、施設１０は、地上６２のロケーションに位置決めされるリール４４上に巻回された柔軟導管４２を有するレディーミックスコンクリート送達システム４０を備える。この実施形態では、水４９上に柔軟導管４２を浮かべるのに浮遊デバイスは用いられない。代替的な配置構成は、隠線で示されている柔軟導管４２が、水の表面４８の下に沈むか、又は更には海床（sea floor）上に配置されることを可能にすることができる。図４及び図５の配置構成は交換可能であることが留意されるべきである。すなわち、図５に示される柔軟導管４２の展開を、図４の実施形態において用いることができ、逆もまた然りである。
【００２３】
図４及び図５を参照すると、打設地点６０は、レディーミックスコンクリートの最終使用のロケーション、又は、導管４２を出るレディーミックスコンクリートが二次輸送システムに移送されるロケーションとすることができる。二次輸送システムは、車両、及び／又は、ホース又はパイプ等の導管を含むことができる。したがって、レディーミックスコンクリートを用いるロケーションは、遠隔地、例えば、打設地点６０から最大で１キロメートル又はそれ以上の遠隔地とすることができる。或る応用では、打設地点６０は、地上６２とすることができるが、最終使用は、海底又は海床等の水中ロケーションにあるものとすることができる。
【００２４】
図６では、施設１０は、海底ロケーション７２にある打設地点７０にレディーミックスコンクリートを搬送するのに用いられる。レディーミックスコンクリート送達システム４０は、施設１０から延在する導管７４を備える。レディーミックスコンクリート送達システム４０は、前述されたように、柔軟パイプ、リール、及び浮遊デバイスを用いることができる。
【００２５】
加えて、ＣＯ２の排出源は、必ずしも施設１０上に有しないことが留意されるべきである。すなわち、本開示の実施形態では、排出源出口から施設１０へのＣＯ２は、施設１０に輸送し、施設１０によって製造されたレディーミックスコンクリートに隔離することができる。
【００２６】
図１及び図４〜図６において参照される導管４２は、必要に応じて動作条件の特定のセットのために構成することができる。導管４２は、主にゴム製又は主に非ゴム製とすることができる。主にという語によって、５０％を超えることが意味される。加えて、導管４２は、複数の同心チューブ層から形成することができる。各層は、１つ以上の異なる材料特性を有することができる。例えば、レディーミックスコンクリートと接触する最内側層は、外側層のうちの１つ以上よりも低い摩擦係数及び高い硬度を有することができる。したがって、最内側層は、より高い耐摩耗性を提供しながら、レディーミックスコンクリートのより低い流れ抵抗を呈することができる。導管４２は、柔軟とするとともに、スプール上で格納されることを可能とすることができるが、代替的に、剛性とするとともに、伸縮部分又は折り畳み部分から形成することができる。導管は、Ａｉｒｂｏｒｎｅ（商標）、SHAWCOR社が販売するオイル及びガスダウンライン、又は他の相応する製品等の複合接着パイプとすることができるが、代替的に、ともにヒンジ留めされた一連の剛性部分、強化ゴムパイプ、又は他の任意の適したパイプとすることもできる。導管は、金属、複合材料、非金属、炭素繊維、及び／又は他の材料から形成することができる。
【００２７】
導管４２を構成する材料は、部分的に、レディーミックスコンクリートが圧送される圧力に依存する。例えば、主にゴム製の導管は、最大で５０バールの圧力で圧送するのに適切とすることができる。５０バールを超える動作圧力の場合、導管４２は、ゴムの破裂強度よりも高い破裂強度を有する材料から少なくとも部分的に構成することができる。当然ながら、導管４２の流れ断面積及び長さ等の他の因子も、適切な材料選択を決定する因子である。
【００２８】
上記から、説明されたものは、レディーミックスコンクリート生産及び送達システムを動作させる方法を含むことが理解されるべきである。本開示の教示に関連して用いられる「送達」は、２つの別個の態様を有することが留意されるべきである。第１に、施設１０は、必要に応じて、レディーミックスコンクリートが製造されるロケーションと、レディーミックスコンクリートが用いられるロケーションとの間の距離を短くさせるように移動させることができる。第２に、施設１０上の機器は、生レディーミックスコンクリートを施設１０からレディーミックスコンクリートが用いられることになるロケーション又はその付近のロケーションに輸送させるのに用いることができる。したがって、本開示の態様は、レディーミックスコンクリートを送達するために、化石燃料を燃焼させること等から、必要とされるエネルギーを減少させるシステム及び関連方法を提供する。
【００２９】
上記から、説明されたものは、部分的には、レディーミックスコンクリートを製造及び送達するように構成された施設を含むことが理解されるべきである。施設は、一体化炭素捕捉システム、及び、１つ以上の排出源から炭素捕捉システムに排出物を搬送するように構成された流体導管を備えることができる。その後、炭素捕捉システムは、排出物を処理して、液体及び／又は気体ＣＯ２フィードを生成し、ＣＯ２フィードは、即座に用いる及び／又は後の使用のために貯留することができる。炭素捕捉システムは、適した導管を介してレディーミックスコンクリート生産システムと流体連通し、必要に応じて液体及び／又は気体ＣＯ２を供給することができる。上述したように、ＣＯ２は、生産されているレディーミックスコンクリートに注入することができ、又はそのような生産からプロセス水を処理するために注入することができる。したがって、１つの態様では、施設は、炭素捕捉システムが、１つ以上のＣＯ２排出源、また液体及び／又は気体ＣＯ２の１つ以上の収容部と流体連通する閉システムを用いる。或る特定の実施形態では、ＣＯ２排出源（複数の場合もある）、ＣＯ２排出物処理機器、ストレージ、及び注入機器、並びにＣＯ２のエンドユーザー（複数の場合もある）が同時配置、すなわち、同じプラットフォーム上に位置するとともに流体導管ネットワークを用いて互いに接続される。プラットフォームは、図示するように移動水上輸送プラットフォームとすることができる。他の実施形態では、プラットフォームは、地上又は水上のいずれかで静止することができる。
【００３０】
図１を参照すると、或る特定の応用では、炭素捕捉システム５０は、任意の自己推進船舶上の排出源からの排出物からＣＯ２を捕捉するために、このような船舶に関連して用いることができる。すなわち、本開示の教示は、レディーミックスコンクリートの生産及び送達のために構成された施設１０のみに限定されない。例えば、炭素捕捉システム５０は、貨物輸送船、客船、戦艦、建築支援船、及び他のそのような船の上で用いることができる。このような船において、炭素捕捉システム５０は、１つ以上の排出口５２と、ＣＯ２捕捉／液化ユニット５４と、ＣＯ２貯留／注入ユニット５６とを含むこともできる。排出口５２は、化石燃料等の炭化水素系燃焼を燃焼させることから電力を生成する機械からの排出物を受け取るのに用いることができる。
【００３１】
以下の記載は、本開示において用いられる用語の定義である。
【００３２】
船舶は、水体に沿って推進するように設計及び構築される任意の海洋船、浮遊するように設計されるが自己推進のための搭載機器を有しない海洋船（すなわち、無動力の船舶）、又は水体に沿って牽引又は別様に移動するように設計される任意の海洋船を指す。
【００３３】
水上輸送施設は、ポンプ、油圧駆動スプール、搬送機構等の重機器及び／又はビン又はコンテナー等の構造物を収容するように設計及び構築される任意の船舶又は浮遊プラットフォームを指す。
【００３４】
「沿岸（near costal）」という用語は、海岸線から陸上に延在する領域又はゾーンを指す。地形及び地勢に依存して、沿岸ロケーションは、海岸線から数マイル、又は十数マイル又はそれ以上とすることができる。
【００３５】
「レディーミックス」コンクリートは、生状態、かつ可塑状態又は未硬化状態において打設現場に送達するように特に製造されるコンクリートを指す。レディーミックスコンクリートは、セメント、水、並びに、細骨材及び粗骨材を含む骨材等の成分を含むことができる。骨材は、レディーミックスコンクリートの総体積の少なくとも５０％を構成することができる。いくつかの態様において、骨材の体積は、レディーミックスコンクリートの総体積の６０％〜７５％とすることができる。
【００３６】
骨材は、細骨材及び粗骨材として分類することができる。細骨材は、３／８インチの篩を通過することを可能にするサイズを有する、自然砂又は破砕石等の粒子から構成されるものと定義することができる。粗骨材は、０．１９インチ径よりも大きいサイズを有する粒子から構成されるものと定義することができる。従来的には、粗骨材のサイズは、３／８インチ径〜１．５インチ径の全体範囲内に入る。
【００３７】
当業者は、先の詳細な説明並びに図面及び特許請求の範囲から、本発明の範囲を逸脱することなく本発明の実施形態の改良及び変更を行い得ることを認識するであろう。
【図１】
2021520337.tif 000003
【図２】
2021520337.tif 000004
【図３】
2021520337.tif 000005
【図４】
2021520337.tif 000006
【図５】
2021520337.tif 000007
【図６】
2021520337.tif 000008
【国際調査報告】
2021520337.tif 000009
2021520337.tif 000010
2021520337.tif 000011